(57)【要約】【課題】波長多重方式を採用したキャリアリレー信号伝送システムにおいて、遅延時間を短くする。【解決手段】キャリアリレー信号伝送システムは、入力されたキャリアリレー信号を多重化するｎ個のキャリアリレー信号多重装置１５と、多重化信号を波長多重光信号に変換して光伝送路に送出するＷＤＭ装置１７を備える。ＷＤＭ装置１７は、ｎ個のキャリアリレー信号多重装置１５から入力された多重化信号を、所定のフレームにマッピングするｎ個のマッピング部２１と、入力されたフレームをそれぞれ異なる波長の光信号に変換するｎ個のトランスポンダ２３と、送信側振分部２２とを備える。トランスポンダ２３は、フレーム周期／ｎずつずれたタイミングで光信号を送出する。送信側振分部２２は、マッピング部２１からのフレームの入力順に、最も直近に光信号の送出が開始されるトランスポンダ２３にフレームを振り分ける。【選択図】図５
2014175973.tif 000002
【特許請求の範囲】
【請求項１】
キャリアリレー信号を多重化して波長多重光信号に変換して伝送するキャリアリレー信号伝送システムであって、
入力されたキャリアリレー信号を多重化するｎ（ｎは２以上の整数）個の多重装置と、
前記多重装置からの多重化信号を波長多重光信号に変換して光伝送路に送出する波長多重送信装置と、を備え、
前記波長多重送信装置は、
ｎ個の前記多重装置から入力された多重化信号を、所定のフレームにマッピングするｎ個のマッピング部と、
入力されたフレームをそれぞれ異なる波長の光信号に変換するｎ個の光送信部であって、フレーム周期／ｎずつずれたタイミングで光信号を送出するよう構成されたｎ個の光送信部と、
ｎ個の前記マッピング部からの各フレームを、ｎ個の前記光送信部のいずれかに振り分ける送信側振分部であって、ｎ個の前記マッピング部からのフレームの入力順に、最も直近に光信号の送出が開始される前記光送信部にフレームを振り分ける送信側振分部と、
ｎ個の前記光送信部からのｎ波の光信号を波長多重して前記光伝送路に送出する波長多重部と、
を備えることを特徴とするキャリアリレー信号伝送システム。
【請求項２】
前記送信側振分部は、前記光送信部に振り分けるフレームに対し、該フレームがどのマッピング部から出力されたものであったか識別するための識別情報を付与することを特徴とする請求項１に記載のキャリアリレー信号伝送システム。
【請求項３】
前記光伝送路を伝送された波長多重光信号を受信する波長多重受信装置と、
前記波長多重受信装置から入力された多重化信号をキャリアリレー信号に分離するｎ個の分離装置と、
をさらに備え、
前記波長多重受信装置は、
波長多重光信号をｎ波の光信号に分離する波長分離部と、
ｎ波の光信号を光／電気変換してフレームを出力するｎ個の光受信部と、
入力されたフレームをデマッピングして多重化信号に分離し、対応する前記分離装置に出力するｎ個のデマッピング部と、
フレームに付与された識別情報に基づいて、該フレームが出力されたマッピング部に対応するデマッピング部にフレームを振り分ける受信側振分部と、
を備えることを特徴とする請求項２に記載のキャリアリレー信号伝送システム。
【発明の詳細な説明】
【技術分野】
【０００１】
本発明は、波長分割多重（ＷＤＭ：Wavelength Division Multiplexing）方式を利用して、信号端局からのキャリアリレー信号を多重化して伝送するキャリアリレー信号伝送システムに関する。
【背景技術】
【０００２】
キャリアリレー信号伝送システムは、送電線に落雷等の事故が発生した場合に、迅速かつ確実に事故区間を判定して系統から切り離し、健全な電力系統への事故波及を防止するものである。キャリアリレー信号伝送システムにおいては、送電線両端の電気所に保護リレー装置が設置され、該両端における同時刻の送電線電流等の情報を比較することによって送電系統の異常を検出し、遮断器の高速遮断が行われる。電気所間の情報伝達には、マイクロ波無線、ＯＰＧＷ（Optical Ground Wire）、光ファイバケーブル等が用いられる。
【０００３】
図１は、キャリアリレー信号伝送システムの一例を示す。図１に示すキャリアリレー信号伝送システム１００は、スタッフ多重方式を用いた場合を示している。キャリアリレー信号伝送システム１００は、送電線の両端に配置された保護リレー装置１０１および１０２と、キャリアリレー信号端局（ＣＲ信端）１０３および１０４と、キャリアリレー信号多重装置（ＣＲ  ＭＵＸ）１０５および１０６と、ＰＤＨ（Plesiochronous Digital Hierarchy）装置１０７＿１〜１０７＿４とを備える。
【０００４】
保護リレー装置１０１からの情報は、５４ｋｂｐｓのキャリアリレー信号としてキャリアリレー信号端局１０３から送出される。このキャリアリレー信号端局１０３からのキャリアリレー信号は、他の信号端局からのキャリアリレー信号とキャリアリレー信号多重装置１０５により多重化され、１．５Ｍｂｐｓの多重化信号とされる。この多重化信号は、ＰＤＨ装置１０７＿１〜ＰＤＨ装置１０７＿４により４中継５スパン伝送される。
【０００５】
ＰＤＨ装置１０７＿４から出力された１．５Ｍｂｐｓの多重化信号は、キャリアリレー信号多重装置１０６により５４ｋｂｐｓのキャリアリレー信号に分離され、キャリアリレー信号端局１０４に受信される。保護リレー装置１０２は、キャリアリレー信号端局１０４で受信した信号の情報と、自身の情報とを比較することにより、送電系統の異常を検出し、送電停止等の所定の処理を行う。
【０００６】
図１に示すようなキャリアリレー信号伝送システムにおいては、伝送路における信号の遅延時間に厳しい条件が要求される。例えば、４中継５スパン伝送を行うシステムにおいては、保護リレー装置１０１および１０２間の遅延時間は４ｍｓｅｃ以下、キャリアリレー信号多重装置１０５および１０６間の遅延時間は２．７ｍｓｅｃ以下が要求される。
【先行技術文献】
【特許文献】
【０００７】
【特許文献１】特開２００４−１０４５４７号公報
【発明の概要】
【発明が解決しようとする課題】
【０００８】
近年、設備投資抑制等により、安価にシステム構築が可能なＷＤＭ装置の適用が検討されている。現在の標準的なＷＤＭ装置で保護リレー情報の伝達を行おうとした場合、ＳＴＭ−１/４/１６、またはＦＥ、ＧｂＥなどのイーサネット（登録商標）系のクライアントインタフェースを使用することになる。これらのＷＤＭ装置クライアントインタフェースから収容された信号は、チャネル単位に固定の１波長が割り当てられ、１本の光ファイバに複数本の波長を多重化して伝送される。
【０００９】
図２は、波長分割多重（ＷＤＭ）方式を用いたキャリアリレー信号伝送システムの一例を示す。図２に示すキャリアリレー信号伝送システム２００は、送電線の両端に配置された保護リレー装置２０１および２０２と、キャリアリレー信号端局（ＣＲ信端）２０３および２０４と、キャリアリレー信号多重装置（ＣＲ  ＭＵＸ）２０５および２０６と、ＷＤＭ装置２０７および２０８とを備える。
【００１０】
保護リレー装置２０１からの情報は、５４ｋｂｐｓのキャリアリレー信号としてキャリアリレー信号端局２０３から送出される。このキャリアリレー信号端局２０３からのキャリアリレー信号と、他の信号端局からのキャリアリレー信号は、キャリアリレー信号多重装置２０５により多重化され、１．５Ｍｂｐｓの多重化信号とされる。このキャリアリレー信号多重装置２０５からの多重化信号は、ＷＤＭ装置２０７の第１クライアントインタフェースＣＬ１に入力され、マッピング部２１２＿１にてＳＤＨ（Synchronous Digital Hierarchy）のＳＴＭ−Ｎ（Synchronous Transport Module-level N）フレームにマッピングされる。このＳＴＭ−Ｎフレームは、ＷＤＭ装置２０７のトランスポンダで波長λ１の光信号に変換され、波長多重部２１６に入力される。他のクライアントインタフェース（第２〜第ｎクライアントインタフェースＣＬ２〜ＣＬｎ）に入力された別のキャリアリレー信号多重装置からの多重化信号も同様に、それぞれ決められたトランスポンダで波長λ２，λ３・・・λｎの光信号に変換され、波長多重部２１６に入力される。波長多重部２１６は、それらの波長λ１〜λｎの光信号を波長多重し、光伝送路２１０に送出する。
【００１１】
図２には、ＷＤＭ装置２０７において送出されるλ１〜λｎの光信号が図示されている。ＷＤＭ装置２０７の有するｎ個のトランスポンダは、ＳＴＭ−Ｎフレームの周期である１２５μｓｅｃ間隔で波長λ１〜λｎの光信号を送出している。ＷＤＭ装置２０７の第１〜第ｎクライアントインタフェースＣＬ１〜ＣＬｎに入力された多重化信号は、それぞれ決められた波長λ１〜λｎの光信号にのせられる。
【００１２】
光伝送路２１０を伝送された波長多重光信号は、ＷＤＭ装置２０８の波長分離部２１８にて波長λ１〜λｎの光信号に分離された後、それぞれトランスポンダで光／電気変換され、ＳＴＭ−Ｎフレームとされる。これらのＳＴＭ−Ｎフレームは、デマッピング部２１４＿１〜２１４＿２に入力される。デマッピング部２１４＿１にて分離された１．５Ｍｂｐｓの多重化信号は、ＷＤＭ装置２０８の第１〜第ｎクライアントインタフェースＣＬ１〜ＣＬｎから出力される。第１クライアントインタフェースＣＬ１から出力された多重化信号は、キャリアリレー信号多重装置２０６により５４ｋｂｐｓのキャリアリレー信号に分離され、キャリアリレー信号端局２０４に受信される。他のクライアントインタフェースから出力された多重化信号も同様である。
【００１３】
しかしながら、図２に示すようなキャリアリレー信号伝送システム２００では、キャリアリレー信号伝送システムに要求される遅延時間を満足することができない場合がある。キャリアリレー信号伝送システム２００における遅延時間の配分を計算すると、送信側のＷＤＭ装置２０７で２５０μｓｅｃ（マッピング部の多重化処理で１２５μｓｅｃ、波長多重処理で１２５μｓｅｃ）、１スパン（４０ｋｍ）の光伝送路２１０で２００μｓｅｃ、受信側のＷＤＭ装置２０８で１２５μｓｅｃ（デマッピング部の分離処理）となるので、１スパンあたりの遅延は５７５μｓｅｃとなる。５スパンの場合は、これが５倍されるので、遅延時間は２８７５μｓｅｃとなる。図３は、スパン数と遅延時間の関係を示す。従って、図２に示すキャリアリレー信号伝送システム２００では、４中継５スパンの保護リレー情報伝送を行う際の伝送路配分時間である２７００μｓｅｃ以下を満足することができない。
【００１４】
本発明はこうした状況に鑑みてなされたものであり、その目的は、波長多重方式を採用したキャリアリレー信号伝送システムにおいて、遅延時間を短くすることにある。
【課題を解決するための手段】
【００１５】
上記課題を解決するために、本発明のある態様のキャリアリレー信号伝送システムは、キャリアリレー信号を多重化して波長多重光信号に変換して伝送するキャリアリレー信号伝送システムであって、入力されたキャリアリレー信号を多重化するｎ（ｎは２以上の整数）個の多重装置と、多重装置からの多重化信号を波長多重光信号に変換して光伝送路に送出する波長多重送信装置とを備える。波長多重送信装置は、ｎ個の多重装置から入力された多重化信号を、所定のフレームにマッピングするｎ個のマッピング部と、入力されたフレームをそれぞれ異なる波長の光信号に変換するｎ個の光送信部であって、フレーム周期／ｎずつずれたタイミングで光信号を送出するよう構成されたｎ個の光送信部と、ｎ個のマッピング部からの各フレームを、ｎ個の光送信部のいずれかに振り分ける送信側振分部であって、ｎ個のマッピング部からのフレームの入力順に、最も直近に光信号の送出が開始される光送信部にフレームを振り分ける送信側振分部と、ｎ個の光送信部からのｎ波の光信号を波長多重して光伝送路に送出する波長多重部とを備える。
【００１６】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１７】
本発明によれば、波長多重方式を採用したキャリアリレー信号伝送システムにおいて、遅延時間を短くできる。
【図面の簡単な説明】
【００１８】
【図１】キャリアリレー信号伝送システムの一例を示す図である。
【図２】波長分割多重（ＷＤＭ）方式を用いたキャリアリレー信号伝送システムの一例を示す図である。
【図３】スパン数と遅延時間の関係を示す図である。
【図４】本発明の実施形態に係るキャリアリレー信号伝送システムを示す図である。
【図５】本実施形態に係る送信側のＷＤＭ装置の構成を説明するための図である。
【図６】送信側のＷＤＭ装置の動作を説明するための図である。
【図７】本実施形態に係る受信側のＷＤＭ装置の構成を説明するための図である。
【図８】送信側のＷＤＭ装置の動作を説明するための図である。
【図９】受信側のＷＤＭ装置の動作を説明するための図である。
【発明を実施するための形態】
【００１９】
図４は、本発明の実施形態に係るキャリアリレー信号伝送システム１０を示す。図４に示すように、キャリアリレー信号伝送システム１０は、波長分割多重（ＷＤＭ）方式を用いたキャリアリレー信号伝送システムである。キャリアリレー信号伝送システム１０は、送電線の両端に配置された保護リレー装置（Ｒｙ）１１および１２と、キャリアリレー信号端局（ＣＲ信端）１３および１４と、キャリアリレー信号多重装置（ＣＲ  ＭＵＸ）１５と、キャリアリレー信号分離装置（ＣＲ＿ＤＭＵＸ）１６と、ＷＤＭ装置１７および１８とを備える。
【００２０】
ここでは、保護リレー装置１１を送信側、保護リレー装置１２を受信側とし、保護リレー装置１１から保護リレー装置１２に情報が伝送される場合について説明する。しかしながら、キャリアリレー信号伝送システム１０は、保護リレー装置１２から保護リレー装置１２に信号を伝送することも可能に構成される。
【００２１】
保護リレー装置１１は、送電線電流等の情報をキャリアリレー信号端局１３に出力する。キャリアリレー信号端局１３は、保護リレー装置１１からの情報を５４ｋｂｐｓキャリアリレー信号としてキャリアリレー信号多重装置１５に出力する。キャリアリレー信号多重装置１５は、キャリアリレー信号端局１３からのキャリアリレー信号と、他の信号端局（図示せず）からのキャリアリレー信号とを多重化して１．５Ｍｂｐｓの多重化信号とし、ＷＤＭ装置１７に出力する。
【００２２】
ＷＤＭ装置１７は、キャリアリレー信号多重装置１５から入力された多重化信号をＳＴＭ−Ｎフレームにマッピングした後、光信号に変換する。ＳＴＭ−Ｎは、例えばＳＴＭ−１，４，１６等であってよい。光信号は波長多重され、光伝送路２０に送出される。
【００２３】
光伝送路２０を伝送された波長多重光信号は、ＷＤＭ装置１８により受信される。ＷＤＭ装置１８は、波長多重光信号を分離した後、それを光／電気変換する。変換されたＳＴＭ−Ｎフレームは、デマッピングされて１．５Ｍｂｐｓの多重化信号に分離される。キャリアリレー信号分離装置１６は、この１．５Ｍｂｐｓの多重化信号を５４ｋｂｐｓのキャリアリレー信号に分離し、保護リレー装置１２に出力する。
【００２４】
保護リレー装置１２は、キャリアリレー信号端局１４で受信した信号の情報と、自身の情報とを比較することにより、送電系統の異常を検出し、送電停止等の所定の処理を行う。
【００２５】
図５は、本実施形態に係る送信側のＷＤＭ装置の構成を説明するための図である。図５に示すように、送信側のＷＤＭ装置１７は、ｎ個（ｎは２以上の整数）のマッピング部２１＿１〜２１＿ｎと、送信側振分部２２と、光送信部としてのｎ個のトランスポンダ（ＴＲＰＮ）２３＿１〜２３＿ｎと、波長多重部２４と、ＷＤＭ装置１７内の各構成要素に同期を取るためのクロック（ＣＬＫ）を供給するクロック部２５とを備える。
【００２６】
ｎ個のキャリアリレー信号多重装置１５＿１〜１５＿ｎからの１．５Ｍｂｐｓの多重化信号は、対応するＷＤＭ装置１７のクライアントインタフェースＣＬ１〜ＣＬｎに入力される。クライアントインタフェースＣＬ１〜ＣＬｎに入力された多重化信号は、対応するマッピング部２１＿１〜２１＿ｎに入力される。
【００２７】
マッピング部２１＿１〜２１＿ｎは、それぞれ、入力された多重化信号を所定のフレームにマッピングする。本実施形態では、１５５ＭｂｐｓのＳＴＭ−１フレームにマッピングするものとするが、これに特に限定されない。
【００２８】
トランスポンダ２３＿１〜２３＿ｎは、入力されたＳＴＭ−１フレームを異なる波長λ１〜λｎの光信号に変換して出力する。トランスポンダ２３＿１〜２３＿ｎは、フレーム周期Ｔ／ｎずつずれたタイミングで光信号を送出するよう構成される。ＳＤＨ方式において、ＳＴＭ−Ｎのフレーム周期Ｔは１２５μｓｅｃであるので、トランスポンダ２３＿１〜２３＿ｎは、１２５／ｎμｓｅｃずつずれたタイミングで光信号を送出する。
【００２９】
送信側振分部２２は、マッピング部２１＿１〜２１＿ｎからの各ＳＴＭ−１フレームを、トランスポンダ２３＿１〜２３＿ｎのいずれかに振り分ける。送信側振分部２２は、マッピング部２１＿１〜２１＿ｎからのＳＴＭ−１フレームの入力順を監視している。また、送信側振分部２２は、トランスポンダ２３＿１〜２３＿ｎが光信号の送出を開始するタイミングを監視している。そして、送信側振分部２２は、マッピング部２１＿１〜２１＿ｎからのＳＴＭ−１フレームの入力順に、最も直近に光信号の送出が開始されるトランスポンダにＳＴＭ−１フレームを振り分ける。
【００３０】
波長多重部２４は、トランスポンダ２３＿１〜２３＿ｎからの波長λ１〜λｎの光信号を波長多重して光伝送路２０に送出する。
【００３１】
図６は、送信側のＷＤＭ装置１７の動作を説明するための図である。図６に示すように、トランスポンダ２３＿１〜２３＿ｎは、フレーム周期Ｔ／ｎずつずれたタイミングで光信号を送出している。図６では、波長λ１に対応するトランスポンダ２３＿１が、あるタイミングで波長λ１の光信号の送出を開始したとすると、波長λ２に対応するトランスポンダ２３＿２は、波長λ１の光信号の送出開始タイミングよりもＴ／ｎ遅れて波長λ２の光信号の送出を開始する。その後、波長λ３に対応するトランスポンダ２３＿３は、波長λ２の光信号の送出開始タイミングよりもＴ／ｎずれて（遅れて）波長λ３の光信号の送出を開始する。このように、波長λｎに対応するトランスポンダ２３＿ｎは、波長λｎ−１の光信号の送出開始タイミングよりもＴ／（ｎ−１）遅れて波長λｎの光信号の送出を開始する。波長λｎの光信号の送出開始タイミングからＴ／ｎ後には、再び波長λ１の光信号が送出される。各トランスポンダの光信号の送出周期は、フレーム周期＝１２５μｓｅｃである。
【００３２】
ここで、図６に示すように、最初にマッピング部２１＿ｎからＳＴＭ−１フレーム♯ｎが送信側振分部２２に入力し、次にマッピング部２１＿１からＳＴＭ−１フレーム♯１が送信側振分部２２に入力し、次にマッピング部２１＿２からＳＴＭ−１フレーム♯２が送信側振分部２２に入力したとする。そして、ＳＴＭ−１フレーム♯ｎが送信側振分部２２に入力されたときに、トランスポンダ２３＿１が最も直近に（一番早いタイミングで）光信号の送出を開始するものとする。
【００３３】
上述したように、ＷＤＭ装置１７の送信側振分部２２は、マッピング部２１＿１〜２１＿ｎからのＳＴＭ−１フレームの入力順に、最も直近に光信号の送出が開始されるトランスポンダにＳＴＭ−１フレームを振り分ける。すなわち、送信側振分部２２は、最初に入力したＳＴＭ−１フレーム♯ｎを、最も直近に光信号の送出が開始されるトランスポンダ２３＿１に振り分ける。これにより、波長λ１の光信号にＳＴＭ−１フレーム♯ｎがのせられる。続いて、送信側振分部２２は、次に入力したＳＴＭ−１フレーム♯１を、トランスポンダ２３＿１の光信号送出後において最も直近に光信号の送出が開始されるトランスポンダ２３＿２に振り分ける。これにより、波長λ２の光信号にＳＴＭ−１フレーム♯１がのせられる。続いて、送信側振分部２２は、次に入力したＳＴＭ−１フレーム♯２を、トランスポンダ２３＿２の光信号送出後において最も直近に光信号の送出が開始されるトランスポンダ２３＿３に振り分ける。これにより、波長λ３の光信号にＳＴＭ−１フレーム♯２がのせられる。
【００３４】
送信側のＷＤＭ装置においては、ｎ個のマッピング部から様々なタイミングでＳＴＭ−１フレームが出力される。従って、図２で説明したように、送信側のＷＤＭ装置が有するｎ個のトランスポンダが全て同じタイミングで光信号の送出を開始している場合、例えば光信号の送出開始直後にトランスポンダに到着したＳＴＭ−１フレームは、次の送出タイミングまで（すなわち約１２５μｓｅｃ）送出を待たされることになり、遅延が発生する。
【００３５】
一方、本実施形態に係る送信側のＷＤＭ装置１７では、トランスポンダ２３＿１〜２３＿ｎは、Ｔ／ｎずつずれたタイミングで光信号を送出し、送信側振分部２２は、マッピング部２１＿１〜２１＿ｎからのＳＴＭ−１フレームの入力順に、最も直近に光信号の送出が開始されるトランスポンダにＳＴＭ−１フレームを振り分けている。本実施形態では、マッピング部２１＿１〜２１＿ｎとトランスポンダ２３＿１〜２３＿ｎは一対一で固定されておらず、送信側振分部２２への入力順に、順次送信波長がＳＴＭ−１フレームに割り当てられる。これにより、ＳＴＭ−１フレームの送出の待ち時間を減らすことができ、遅延時間を短くすることができる。
【００３６】
本実施形態においては、マッピング部２１＿１〜２１＿ｎとトランスポンダ２３＿１〜２３＿ｎとが一対一で固定されていない。従って、マッピング部２１＿１〜２１＿ｎからのＳＴＭ−１フレームをそのまま送信すると、受信側のＷＤＭ装置１８は、受信したＳＴＭ−１フレームを出力すべきデマッピング部（クライアントインタフェース）を判断できない可能性がある。そこで、送信側振分部２２は、トランスポンダ２３＿１〜２３＿ｎに振り分けるＳＴＭ−１フレームに対し、該ＳＴＭ−１フレームがどのマッピング部（言い換えるとクライアントインタフェース）から出力されたものであったか識別するための識別情報を付与する。
【００３７】
図７は、本実施形態に係る受信側のＷＤＭ装置の構成を説明するための図である。図７に示すように、受信側のＷＤＭ装置１８は、波長分離部３０と、光受信部としてのｎ個のトランスポンダ３１＿１〜３１＿ｎと、受信側振分部３２と、ｎ個のデマッピング部３３＿１〜３３＿ｎと、ＷＤＭ装置１７内の各構成要素に同期を取るためのクロックを供給するクロック部３４とを備える。
【００３８】
波長分離部３０は、光伝送路２０から受信した波長多重光信号を波長λ１〜λｎの光信号に分離する。トランスポンダ３１＿１〜３１＿ｎは、波長λ１〜λｎの光信号を光／電気変換し、１５５ＭｂｐｓのＳＴＭ−１フレームを受信側振分部３２に出力する。
【００３９】
受信側振分部３２は、受信したＳＴＭ−１フレームに付与された識別情報に基づいて、該ＳＴＭ−１フレームが出力された送信側のマッピング部２１＿１〜２１＿ｎに対応するデマッピング部３３＿１〜３３＿ｎに、ＳＴＭ−１フレームを振り分ける。
【００４０】
デマッピング部３３＿１〜３３＿ｎは、入力されたＳＴＭ−１フレームをデマッピングして１．５Ｍｂｐｓの多重化信号に分離し、対応するクライアントインタフェースＣＬ１〜ＣＬｎから出力する。クライアントインタフェースＣＬ１〜ＣＬｎから出力された多重化信号は、ｎ個のキャリアリレー信号分離装置１６＿１〜１６＿ｎに入力される。各キャリアリレー信号分離装置１６＿１〜１６＿ｎは、入力された多重化信号を５４ｋｂｐｓのキャリアリレー信号に分離し、保護リレー装置１２に出力する。
【００４１】
次に、キャリアリレー信号伝送システム１０の動作の一例を説明する。図８は、送信側のＷＤＭ装置１７の動作を説明するための図であり、図９は、受信側のＷＤＭ装置１８の動作を説明するための図である。
【００４２】
まず、図８を参照して送信側の動作を説明する。ここでは、図８に示すように、最初にキャリアリレー信号多重装置１５＿ｎから多重化信号♯ｎがＷＤＭ装置１７のクライアントインタフェースＣＬｎに入力し、次にキャリアリレー信号多重装置１５＿１から多重化信号♯１がＷＤＭ装置１７のクライアントインタフェースＣＬ１に入力、ｎ番目にキャリアリレー信号多重装置１５＿２から多重化信号♯２がＷＤＭ装置１７のクライアントインタフェースＣＬ２に入力したとする。この場合、まずマッピング部２１＿ｎからＳＴＭ−１フレーム♯ｎが送信側振分部２２に入力し、次にマッピング部２１＿１からＳＴＭ−１フレーム♯１が送信側振分部２２に入力し、ｎ番目にマッピング部２１＿２からＳＴＭ−１フレーム♯２が送信側振分部２２に入力する。また、ここでは、ＳＴＭ−１フレーム♯ｎが送信側振分部２２に入力されたときに、トランスポンダ２３＿１が最も直近に（一番早いタイミングで）光信号の送出を開始するものとする。
【００４３】
このような場合、送信側振分部２２は、最初に入力したＳＴＭ−１フレーム♯ｎを、最も直近に光信号の送出が開始されるトランスポンダ２３＿１に振り分ける（破線矢印ＡＲ１参照）。これにより、波長λ１の光信号にＳＴＭ−１フレーム♯ｎがのせられる。続いて、送信側振分部２２は、次に入力したＳＴＭ−１フレーム♯１を、トランスポンダ２３＿１の光信号送出後において最も直近に光信号の送出が開始されるトランスポンダ２３＿２に振り分ける（破線矢印ＡＲ２参照）。これにより、波長λ２の光信号にＳＴＭ−１フレーム♯１がのせられる。このような処理が繰り返され、ｎ番目にＳＴＭ−１フレーム♯２が入力されると、送信側振分部２２は、該ＳＴＭ−１フレーム♯２を最も直近に光信号の送出が開始されるトランスポンダ２３＿ｎに振り分ける（破線矢印ＡＲ３参照）。これにより、波長λｎの光信号にＳＴＭ−１フレーム♯２がのせられる。トランスポンダ２３＿１〜２３＿ｎから出力された波長λ１〜λｎの光信号は、波長多重部２４により波長多重され、光伝送路２０に送出される。
【００４４】
次に、図９を参照して受信側の動作を説明する。波長分離部３０に入力された波長多重光信号は、波長λ１〜λｎの光信号に分離される。トランスポンダ３１＿１〜３１＿ｎは、受信した光信号を光／電気変換し、ＳＴＭ−１フレームを受信側振分部３２に出力する。
【００４５】
ここでは、まずトランスポンダ３１＿１からＳＴＮ−１フレーム♯ｎが受信側振分部３２に入力される。受信側振分部３２は、ＳＴＮ−１フレーム♯ｎに付与された識別情報を参照して、該ＳＴＮ−１フレーム♯ｎが送信側のマッピング部２１＿ｎから出力されたものであると判断し、マッピング部２１＿ｎに対応するデマッピング部３３＿ｎに振り分ける（破線矢印ＡＲ４参照）。このＳＴＮ−１フレーム♯ｎは、デマッピング部３３＿ｎで多重化信号♯ｎに分離された後、クライアントインタフェースＣＬｎからキャリアリレー信号分離装置１６＿ｎに入力される。
【００４６】
ＳＴＮ−１フレーム♯ｎに続いて、トランスポンダ３１＿２からＳＴＮ−１フレーム♯１が受信側振分部３２に入力される。受信側振分部３２は、ＳＴＮ−１フレーム♯１に付与された識別情報を参照して、該ＳＴＮ−１フレーム♯１が送信側のマッピング部２１＿１から出力されたものであると判断し、マッピング部２１＿１に対応するデマッピング部３３＿１に振り分ける（破線矢印ＡＲ５参照）。このＳＴＮ−１フレーム♯１は、デマッピング部３３＿１で多重化信号♯１に分離された後、クライアントインタフェースＣＬ１からキャリアリレー信号分離装置１６＿１に入力される。
【００４７】
同様の処理が繰り返され、ｎ番目にトランスポンダ３１＿ｎからＳＴＮ−１フレーム♯２が受信側振分部３２に入力される。受信側振分部３２は、ＳＴＮ−１フレーム♯２に付与された識別情報を参照して、該ＳＴＮ−１フレーム♯２が送信側のマッピング部２１＿２から出力されたものであると判断し、マッピング部２１＿２に対応するデマッピング部３３＿２に振り分ける（破線矢印ＡＲ６参照）。このＳＴＮ−１フレーム♯２は、デマッピング部３３＿２で多重化信号♯２に分離された後、クライアントインタフェースＣＬ１からキャリアリレー信号分離装置１６＿２に入力される。
【００４８】
このように、本実施形態に係るキャリアリレー信号伝送システム１０によれば、送信側のＷＤＭ装置１７においてＳＴＭ−１フレームの送出待ち時間を減らすことができるので、遅延時間を短縮することができる。
【００４９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００５０】
１０  キャリアリレー信号伝送システム、  １１，１２  保護リレー装置、  １３，１４  キャリアリレー信号端局、  １５  キャリアリレー信号多重装置、  １６  キャリアリレー信号分離装置、  １７，１８  ＷＤＭ装置、  ２０  光伝送路、  ２１  マッピング部、  ２２  送信側振分部、  ２３  トランスポンダ、  ２４  波長多重部、  ２５，３４  クロック部、  ３０  波長分離部、  ３１  トランスポンダ、  ３２  受信側振分部、  ３３  デマッピング部。
【図１】
2014175973.tif 000003
【図２】
2014175973.tif 000004
【図３】
2014175973.tif 000005
【図４】
2014175973.tif 000006
【図５】
2014175973.tif 000007
【図６】
2014175973.tif 000008
【図７】
2014175973.tif 000009
【図８】
2014175973.tif 000010
【図９】
2014175973.tif 000011